【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
第一の帯域幅を利用し第一のチャネルを使用する第一の通信であって、前記第一の帯域幅を利用する通信を許容しない無線ネットワークを検索するために他のチャネルに切り替わる第一の期間があり、かつ、前記無線ネットワークが検出された場合に前記第一の通信を行う際に利用する無線ネットワークを構築した装置へレポートが送信される第二の期間がある前記第一の通信を行う第一の通信手段と、
前記第一の帯域幅より狭い第二の帯域幅を利用する第二の通信であって、前記レポートが送信されない前記第二の通信を行う第二の通信手段と、
ストリーミング通信に関する情報に基づいて、前記第一の通信手段または前記第二の通信手段を選択する選択手段と、
前記選択手段により選択した通信手段で他の通信装置と通信するように制御する制御手段と、
を有することを特徴とする通信装置。
【請求項２】
前記選択手段は、前記ストリーミング通信が行われることに基づいて、前記第二の通信手段を選択することを特徴とする請求項１に記載の通信装置。
【請求項３】
前記選択手段は、前記ストリーミング通信が行われないことに基づいて、前記第一の通信手段を選択することを特徴とする請求項１又は２に記載の通信装置。
【請求項４】
前記選択手段は、前記ストリーミング通信が行われ、かつ、前記第一の期間に相当する時間に等しい又は該時間を超える所定の時間が、前記ストリーミング通信において許容される遅延時間を越えない場合に、前記第一の通信手段を選択することを特徴とする請求項１に記載の通信装置。
【請求項５】
前記選択手段は、前記ストリーミング通信が行われ、かつ、前記所定の時間が前記遅延時間を越える場合に、前記第二の通信手段を選択することを特徴とする請求項４に記載の通信装置。
【請求項６】
前記遅延時間は、前記ストリーミング通信を行う相手装置から通知されることを特徴とする請求項４または５に記載の通信装置。
【請求項７】
前記遅延時間は、前記ストリーミング通信において通信されるデータに基づいて決定されることを特徴とする請求項４または５に記載の通信装置。
【請求項８】
前記選択手段は、前記ストリーミング通信において通信されるデータの種別に基づいて、前記第一の通信手段または前記第二の通信手段を選択することを特徴とする請求項１に記載の通信装置。
【請求項９】
前記選択手段は、前記種別がリアルタイム性を求められる種別であることに基づいて、前記第二の通信手段を選択することを特徴とする請求項８に記載の通信装置。
【請求項１０】
前記種別に関する情報は前記ストリーミング通信の相手装置から通知されることを特徴とする請求項８又は９に記載の通信装置。
【請求項１１】
前記第一の帯域幅は４０ＭＨｚであって、前記第二の帯域幅は２０ＭＨｚであることを特徴とする請求項１から１０のいずれか１項に記載の通信装置。
【請求項１２】
前記第一の通信手段により通信し、かつ、前記通信装置が前記第一の通信を行う際に利用する無線ネットワークに参加する装置である場合、前記通信装置が、前記他のチャネルへの切り替えと、前記レポートの送信とを行うことを特徴とする請求項１から１１のいずれか１項に記載の通信装置。
【請求項１３】
前記第一の通信手段により通信し、かつ前記通信装置が前記第一の通信を行う際に利用する無線ネットワークを構築する装置である場合、前記通信装置が、前記レポートを受信することを特徴とする請求項１から１２のいずれか１項に記載の通信装置。
【請求項１４】
前記通信装置が前記他の通信装置と前記第二の通信手段で通信しており、かつ、前記第二の通信を行う際に利用する無線ネットワークに参加する装置である場合、
前記制御手段は、前記通信装置が前記第一の通信手段による前記第一の通信を行うことを要求する要求信号を送信し、かつ、前記要求信号に対する応答信号を前記他の通信装置から受信したことに基づいて、前記第二の通信手段から前記第一の通信手段に切り替えることを特徴とする請求項１から１３のいずれか１項に記載の通信装置。
【請求項１５】
前記通信装置が前記他の通信装置と前記第二の通信手段で通信しており、かつ、前記第二の通信を行う際に利用する無線ネットワークを構築した装置である場合、
前記制御手段は、前記第一の通信手段による前記第一の通信を行うことを要求する要求信号を前記他の通信装置から受信し、かつ、前記要求信号に対する応答信号を送信したことに基づいて、前記第二の通信手段から前記第一の通信手段に切り替えることを特徴とする請求項１から１４のいずれか１項に記載の通信装置。
【請求項１６】
前記ストリーミング通信は、前記通信装置がＷｉ−Ｆｉ  Ｄｉｓｐｌａｙ規格に準拠したミラーリングを行うために用いられる通信であることを特徴とする請求項１から１５のいずれか１項に記載の通信装置。
【請求項１７】
前記第一の通信および前記第二の通信は、Ｗｉ−Ｆｉ  Ｄｉｒｅｃｔ規格に準拠した通信であることを特徴とする請求項１から１６の何れか一項に記載の通信装置。
【請求項１８】
前記第一の通信は、ＯＢＳＳ（Ｏｖｅｒｌａｐｐｉｎｇ  Ｂａｓｉｃ  Ｓｅｒｖｉｃｅ  Ｓｅｔ）スキャンを行う通信であって、
前記第二の通信は、前記ＯＢＳＳスキャンを行わない通信であることを特徴とする請求項１から１７の何れか一項に記載の通信装置。
【請求項１９】
第一の帯域幅を利用し第一のチャネルを使用する第一の通信であって、前記第一の帯域幅を利用する通信を許容していない無線ネットワークを検索するために他のチャネルに切り替わる第一の期間があり、かつ、前記無線ネットワークが検出された場合に前記第一の通信を行う際に利用する無線ネットワークを構築した装置へレポートが送信される第二の期間がある前記第一の通信と、前記第一の帯域幅より狭い第二の帯域幅を利用する第二の通信であって、前記レポートが送信されない前記第二の通信との何れか一方を、第一の通信装置が行うストリーミング通信に関する情報に基づいて選択する選択工程と、
前記選択工程において選択した前記第一の通信または前記第二の通信で、前記第一の通信装置と第二の通信装置とが通信するように制御する制御工程と、
を有することを特徴とする通信方法。
【請求項２０】
コンピュータを請求項１から１８の何れか一項に記載の通信装置の各手段として機能させるためのプログラム。
【手続補正２】
【補正対象書類名】明細書
【補正対象項目名】発明の名称
【補正方法】変更
【補正の内容】
【発明の名称】通信装置、通信方法、及びプログラム
【手続補正３】
【補正対象書類名】明細書
【補正対象項目名】００１０
【補正方法】変更
【補正の内容】
【００１０】
上記目的を達成するため、本発明の通信装置は、第一の帯域幅を利用し第一のチャネルを使用する第一の通信であって、前記第一の帯域幅を利用する通信を許容しない無線ネットワークを検索するために他のチャネルに切り替わる第一の期間があり、かつ、前記無線ネットワークが検出された場合に前記第一の通信を行う際に利用する無線ネットワークを構築した装置へレポートが送信される第二の期間がある前記第一の通信を行う第一の通信手段と、前記第一の帯域幅より狭い第二の帯域幅を利用する第二の通信であって、前記レポートが送信されない前記第二の通信を行う第二の通信手段と、ストリーミング通信に関する情報に基づいて、前記第一の通信手段または前記第二の通信手段を選択する選択手段と、前記選択手段により選択した通信手段で他の通信装置と通信するように制御する制御手段と、を有する。
【手続補正４】
【補正対象書類名】明細書
【補正対象項目名】００６６
【補正方法】変更
【補正の内容】
【００６６】
以上により、本実施形態では、連続的なデータ通信が行われる場合に、映像許容遅延時間に応じて、ＨＴ２０モードとＨＴ４０モードとのいずれかが選択される。これにより、遅延が許されない場合には、ＯＢＳＳスキャンで一時的に映像の乱れを防ぐためにバッファサイズを大きくするのではなく、ＨＴ２０モードで動作することで映像の遅延を少なくする。一方で、遅延が許される場合には、ＨＴ４０モードで接続することによって帯域幅を広くして、より高画質な映像を送信するようにする。そして、ＯＢＳＳスキャンにかかる時間の分以上にバッファサイズを設けることによって、ＯＢＳＳスキャン中にフレームが受信できなくても映像が乱れることなく再生することができる。
【手続補正５】
【補正対象書類名】明細書
【補正対象項目名】００８３
【補正方法】変更
【補正の内容】
【００８３】
ＨＴ２０モードにすると、Ｓｉｎｋ１０１がＯＢＳＳスキャンを開始して、その間映像フレームを受信できずに映像が乱れることはない。このため、Ｓｏｕｒｃｅ１０２は、リアルタイム性を優先してバッファサイズ縮小要求をＳｉｎｋ１０１に送信する（Ｓ１５２１）。Ｓｉｎｋ１０１は、バッファサイズ縮小要求を受信すると、バッファサイズを縮小する（Ｓ１５２２）。ＨＴ２０モードになり信号帯域幅が小さくなるため、高画質の映像では帯域幅が足りない場合には、Ｓｏｕｒｃｅ１０２は、Ｗｉ−Ｆｉ  Ｄｉｓｐｌａｙで規定されているＡＶ  Ｆｏｒｍａｔ  Ｃｈａｎｇｅを送信する。これにより、Ｓｏｕｒｃｅ１０２は、画質を下げたデータを送信することをＳｉｎｋ１０１に通知する（Ｓ１５２３）。これは上述した通り、必ずしも送信されなくてもよい。その後、Ｓｏｕｒｃｅ１０２は、映像フレームをＲＴＰデータとして、引き続きＳｉｎｋ１０１へと送信する（Ｓ１５２４）。
【手続補正６】
【補正対象書類名】明細書
【補正対象項目名】００８９
【補正方法】変更
【補正の内容】
【００８９】
続いて、本実施形態に係る無線通信システムにおける処理の流れについて図１７を用いて説明する。図１７はＷｉ−Ｆｉ  Ｄｉｓｐｌａｙにより、Ｓｏｕｒｃｅ１０２の画面をＳｉｎｋ１０１でミラーリングするための一連の処理の流れを示すシーケンス図である。図１７では、Ｓｏｕｒｃｅ１０２が、Ｐ２ＰのＧＯの役割で動作する。なお、図１７の初期状態として、Ｓｏｕｒｃｅ１０２では、リアルタイム性が重要であるメニュー画面が表示されているものとする。
【手続補正７】
【補正対象書類名】明細書
【補正対象項目名】００９７
【補正方法】変更
【補正の内容】
【００９７】
＜＜その他の実施形態＞＞
また上述の各実施形態では、Ｗｉ−Ｆｉ  Ｄｉｓｐｌａｙを例に説明したが、Ｗｉ−Ｆｉ  Ｄｉｓｐｌａｙではなく、他の方法により映像ストリーミングが配信される場合に、上述の各議論を適用することもできる。